(57)【要約】 【課題】タッチ操作を行っている対象画像の領域とカットラインを確認可能な印刷操作端末、及びプリントシステムを提供する。【解決手段】本発明の一態様による印刷操作端末は、タッチパネルに対するタッチ操作に基づき、タッチパネルの第１表示領域に表示された対象画像の周囲にカットラインを設定する設定部と、タッチパネルの第１領域と異なる第２領域に対象画像と前記カットラインとを表示させる表示制御部と、対象画像と前記カットラインとを関連付けて出力する出力部と、備える。【選択図】図２
2019061572.tif 000002
【特許請求の範囲】
【請求項１】
タッチパネルに対するタッチ操作に基づき、前記タッチパネルの第１領域に表示された対象画像の周囲にカットラインを設定する設定部と、
前記タッチパネルの前記第１領域と異なる第２領域に前記対象画像と前記カットラインとを表示させる表示制御部と、
前記対象画像と前記カットラインとを関連付けて出力する出力部と、
を備える印刷操作端末。
【請求項２】
前記表示制御部は、前記第２領域に表示させる前記対象画像のサイズを前記第１領域に表示させる前記対象画像のサイズよりも大きくする、請求項１に記載の印刷操作端末。
【請求項３】
前記表示制御部は、前記第１領域及び前記第２領域を前記タッチパネル内の一方向に並べて配置する、請求項１又は２に記載の印刷操作端末。
【請求項４】
前記設定部は、前記タッチ操作された軌跡に従って、所定の曲線又は直線を含む前記カットラインを設定する請求項１乃至３のいずれか一項に記載の印刷操作端末。
【請求項５】
前記カットラインの変更を指示する指示部を更に備え、
前記表示制御部は、前記指示に基づき前記カットラインを変更する、請求項１乃至４のいずれか一項に記載の印刷操作端末。
【請求項６】
前記指示部は、前記カットラインの変更を元に戻す指示を含む、請求項５に記載の印刷操作端末。
【請求項７】
請求項１乃至６のいずれか一項に記載の印刷操作端末と、
前記印刷操作端末から出力された前記対象画像を印刷媒体にプリントするプリンタと、
前記印刷操作端末から出力された前記カットラインに基づき、前記印刷媒体にプリントされた前記対象画像をトリミングするカッタと、
を備えるプリントシステム。
【請求項８】
前記印刷媒体は、シールである請求項７に記載のプリントシステム。
【発明の詳細な説明】
【技術分野】
【０００１】
本発明の実施形態は、印刷操作端末、及びプリントシステムに関する。
【背景技術】
【０００２】
スマートフォンなどで撮像した対象画像を印画紙にプリントし、プリントされた対象画像の周囲をカッタでカットするプリンタ装置を備えたプリントシステムが一般に知られている（特許文献１参照）。この種のプリントシステムでは、プリンタ装置に接続された印刷操作端末上で、タッチ操作によりカットラインを設定し、プリンタ装置ではプリントした対象画像をカットラインに沿って切断する。
【先行技術文献】
【特許文献】
【０００３】
【特許文献１】特開２００５−１１１８９３号公報
【発明の概要】
【発明が解決しようとする課題】
【０００４】
ところが、この種のシステムでは、操作者がタッチ操作によってカットラインを設定するので、操作者自身の指や手などにより、指先のタッチ位置付近の対象画像の輪郭線や、途中まで設定したカットラインの端部が隠れてしまい、カットラインの形状、サイズ、位置及び向きを適切に設定できない恐れがある。
【０００５】
そこで、本発明が解決しようとする課題は、タッチ操作によるカットラインの設定を行いやすくした印刷操作端末、及びプリントシステムを提供することである。
【課題を解決するための手段】
【０００６】
本発明の一態様による印刷操作端末は、
タッチパネルに対するタッチ操作に基づき、前記タッチパネルの第１表示領域に表示された対象画像の周囲にカットラインを設定する設定部と、
前記タッチパネルの前記第１領域と異なる第２領域に前記対象画像と前記カットラインとを表示させる表示制御部と、
前記対象画像と前記カットラインとを関連付けて出力する出力部と、
を備える。
【０００７】
前記表示制御部は、前記第２領域に表示させる前記対象画像のサイズを前記第１領域に表示させる前記対象画像のサイズよりも大きくしてもよい。
【０００８】
前記表示制御部は、前記第１領域及び前記第２領域を前記タッチパネル内の一方向に並べて配置してもよい。
【０００９】
前記設定部は、前記タッチ操作された軌跡に従って、所定の曲線又は直線を含む前記カットラインを設定してもよい。
【００１０】
前記カットラインの変更を指示する指示部を更に備えてもよく、
前記表示制御部は、前記指示に基づき前記カットラインを変更してもよい。
【００１１】
前記指示部は、前記カットラインの変更を元に戻す指示を含のでもよい。
【００１２】
本発明の他の一態様によるプリントシステムは、
本発明の一態様による印刷操作端末と、
前記印刷操作端末から出力された前記対象画像を印刷媒体にプリントするプリンタと、
前記印刷操作端末から出力された前記カットラインに基づき、前記印刷媒体にプリントされた前記対象画像をトリミングするカッタと、
を備える。
【００１３】
前記印画紙は、シールであってもよい。
【発明の効果】
【００１４】
本発明によれば、タッチ操作によるカットラインの設定を行いやすくすることが印刷操作端末プリントシステムできる。
【図面の簡単な説明】
【００１５】
【図１】プリントシステムの全体の構成を示すブロック図。
【図２】印刷操作端末の詳細な構成を示すブロック図。
【図３】印刷操作端末のタッチパネル上の操作ウィンドウの一例を示す図。
【図４】複数の形状の異なるカットラインを示す図。
【図５】表示画像を拡大処理した図。
【図６】対象画像とカットラインとを関連付ける処理例のフローチャート。
【図７】開閉扉が開いたプリンタ装置の全体を示す図。
【図８】プリンタ装置の開閉扉と排出ボックスを示す図。
【図９】開閉扉が閉じたプリンタ装置の全体を示す図。
【図１０】プリンタ装置の排出ボックスを示す側面図。
【発明を実施するための形態】
【００１６】
以下、本発明の実施形態に係るプリントシステム１０について、図面を参照しながら詳細に説明する。なお、以下に示す実施形態は、本発明の実施形態の一例であって、本発明はこれらの実施形態に限定して解釈されるものではない。また、本実施形態で参照する図面において、同一部分又は同様な機能を有する部分には同一の符号又は類似の符号を付し、その繰り返しの説明は省略する場合がある。また、図面の寸法比率は説明の都合上実際の比率とは異なる場合や、構成の一部が図面から省略される場合がある。
【００１７】
まず、図１に基づき、一実施形態に係るプリントシステム１０の全体の構成を説明する。図１は、プリントシステム１０の全体の構成を示すブロック図である。この図１に示すように、このプリントシステム１０は、対象画像１００ａとカットライン１００ｂとを関連付け、カットを行った印画紙２００ａを出力するシステムであり、印刷操作端末１００と、プリンタ装置２００とを備えて構成されている。印刷操作端末１００は、例えば、タッチパネルを備えた卓上型の印刷操作端末である。この他、印刷操作端末１００は、スマートフォンやタブレット端末などでもよい。この印刷操作端末１００は、対象画像１００ａと、設定されたカットライン１００ｂとを関連付けてプリンタ装置２００に出力する。印刷操作端末１００の詳細な構成は後述する。
【００１８】
プリンタ装置２００は、例えば複数のプリンタ１２、１３と、複数のカッタ１２ｂ、１３ｂとを備えて構成されている。これらの複数のプリンタ１２、１３は、並列処理を行い、処理を高速化する。複数のプリンタ１２、１３のそれぞれは、対象画像１００ａに基づく画像を印画紙にプリントする。複数のカッタ１２ｂ、１３ｂのそれぞれは、カットライン１００ｂに基づき、印画紙に対するカットを行う。なお、プリンタ１２、１３と、カッタ１２ｂ、１３ｂは、複数でなくともよく、プリンタ装置２００は、一組のプリンタとカッタとを備えていればよい。このプリンタ装置２００の詳細な構成は後述する。
【００１９】
次に、図２及び図３に基づき、印刷操作端末１００の詳細な構成する。図２は、印刷操作端末１００の詳細な構成を示すブロック図であり、図３は、印刷操作端末１００のタッチパネル上の操作ウィンドウの一例を示す図である。この図２に示すように、印刷操作端末１００は、画像入力部１０２と、操作部１０４と、表示部（タッチパネル）１０６と、記憶部１０８と、制御部１１０と、画像処理部１１２と、出力部１１４とを備えて構成されている。
【００２０】
画像入力部１０２は、対象画像データを入力する。画像入力部１０２は、例えばスマートファン、デジタルカメラ、記録媒体などから無線通信又は有線通信により対象画像データを入力する。画像入力部１０２は、入力した対象画像データを記憶部１０８に記憶させる。
【００２１】
図２に示すように、操作部１０４は、例えばタッチパネルへのタッチ操作に応じた操作信号を制御部１１０に出力する。この操作部１０４は、入力部１０４ａと、指示部１０４ｂと、を備えて構成される。
【００２２】
表示部１０６は、タッチパネルであり、上述した対象画像、カットラインに関する情報を表示する。本実施形態では、表示部１０６の表示画面の中で、操作者がタッチ操作を行う領域をボタンと呼ぶこととし、画像を表示する領域を表示領域と呼ぶこととする。また、操作者によるタッチ操作が可能であるとともに、表示情報を切り替える領域をウィンドウと呼ぶこととする。ボタン、表示領域、及びウィンドウの少なくとも一部が重複していてもよい。さらにまた、カットラインに対する処理を編集処理と呼ぶ場合がある。この編集処理を行うための操作を編集操作とよび、編集操作には対象画像の変更操作、編集の終了操作などが含まれる。
【００２３】
図３に示すように、表示部１０６には、操作部１０４の操作に関するウィンドウ及びボタンとして、入力ウィンドウ１０４０Ｗと、選択ウィンドウ１０４２Ｗと、サイズ変更ボタン１０４４Ｗと、位置変更ボタン１０４６Ｗと、向き変更ボタン１０４８Ｗと、第１変更ボタン１０５０ａと、第２変更ボタン１０５０ｂと、第３変更ボタン１０５０ｃと、第４変更ボタン１０５０ｄと、第５変更ボタン１０５０ｅと、第６変更ボタン１０５０ｆと、が表示される。また、入力ウィンドウ１０４０Ｗ、及び選択ウィンドウ１０４２Ｗは画像の表示領域でもある。後述するように入力ウィンドウ１０４０Ｗは、対象画像と描画中のカットラインとを表示する。選択ウィンドウ１０４２Ｗは、複数の形状の異なるカットラインを表示する。
【００２４】
図２に示すように、入力部１０４ａは、対象画像をトリミングするためのカットラインを入力する。より具体的には、入力部１０４ａは、入力ウィンドウ１０４０Ｗ内へ操作者が行ったタッチ操作の情報を入力し、タッチ操作の情報を含む信号を制御部１１０に出力する。例えば、入力部１０４ａは、入力ウィンドウ１０４０Ｗ内へ操作者が行ったタッチ操作の位置を示す位置座標の情報を含む信号を制御部１１０に出力する。指示部１０４ｂの詳細な構成は後述する。
【００２５】
記憶部１０８は、画像入力部１０２から入力された対象画像データ、及び複数の形状の異なるカットラインのデータを記憶している。記憶部１０８は、例えば、ＲＡＭ（Ｒａｎｄｏｍ  Ａｃｃｅｓｓ  Ｍｅｍｏｒｙ）、フラッシュメモリ等の半導体メモリ素子、ハードディスク、光ディスク等により実現される。
【００２６】
図４は、記憶部１０８に記憶される複数の形状の異なるカットラインを示す図である。図３に示すように、選択ウィンドウ１０４２Ｗ内にこれらの形状の異なるカットラインは表示され、表示されカットラインの中から設定するカットラインを選択することも可能である。
【００２７】
図２に示すように、制御部１１０は、例えば、例えばＣＰＵ（Ｃｅｎｔｒａｌ  Ｐｒｏｃｅｓｓｉｎｇ  Ｕｎｉｔ）を有しており、プリントシステム１０全体を制御する。この制御部１１０は、表示制御部１１００と、設定部１１０２と、を有する。
【００２８】
表示制御部１１００は、表示部１０６の入力ウィンドウ１０４０Ｗ（図３）に対象画像を表示させる。より具体的には、画像入力部１０２により対象画像が入力されると、表示部１０６の入力ウィンドウ１０４０Ｗに対象画像を表示させる。
【００２９】
また、表示制御部１１００は、第１変更ボタン１０５０ａ、第２変更ボタン１０５０ｂ、第３変更ボタン１０５０ｃ、第４変更ボタン１０５０ｄ、第５変更ボタン１０５０ｅ、及び第６変更ボタン１０５０ｆの内のタッチ操作に応じた処理を行う。例えば、表示制御部１１００は、第５変更ボタン１０５０ｅがタッチされると、記憶部１０８に記憶される別の対象画像を入力ウィンドウ１０４０Ｗ内に表示させる。これにより、操作者はカットしたい対象画像を選択し直すことが可能である。
【００３０】
さらにまた、表示制御部１１００は、表示部１０６の表示領域１０６ａ（図３）に対象画像とカットライン１０６ｂとを表示させる。図３に示すように、表示領域１０６ａは、表示部１０６の入力ウィンドウ１０４０Ｗとは異なる領域であり、入力ウィンドウ１０４０Ｗに並んで配置されている。すなわち、表示領域１０６ａ及入力ウィンドウ１０４０Ｗは、表示部１０６内の一方向に並べて配置されている。これにより、操作者は、タッチ操作を行っている入力ウィンドウ１０４０Ｗ上の自身の指と、設定された表示領域１０６ａ内のカットライン１０６ｂとを同時に観察しつつ操作可能となり、操作性が向上する。
【００３１】
また、表示制御部１１００は、操作者の第６ウィンドウ１０４０ｆへの指示に基づき、表示部１０６の表示領域１０６ａに表示する対象画像と設定部１１０２により設定されたカットラインを拡大して表示する。これにより、カットラインの細部の状態を確認しつつタッチ操作を行うことが可能となる。
【００３２】
図２に示すように、設定部１１０２は、表示部１０６の入力ウィンドウ１０４０Ｗ（図３）に対する入力操作に基づき、対象画像の一部をトリミングするカットラインを設定する。より詳細には、設定部１１０２は、入力部１０４ａから入力された入力ウィンドウ１０４０Ｗに対する入力操作の情報を含む信号に基づき、対象画像の周辺にカットラインを設定する。
【００３３】
また、設定部１１０２は、入力操作に基づく位置座標を用いてカットラインの少なくとも一部を所定の曲線、又は直線として設定してもよい。例えば、設定部１１０２は、位置座標を通過するスプラインをカットラインとして設定する。これにより、操作者の指がぶれた場合にもなだらかな線を設定することが可能となる。また、例えば設定部１１０２は、ハフ変換などにより位置座標の直線性を評価し、直線性が高い場合には、位置座標に沿った直線をカットラインとして設定する。これにより、操作者の指がぶれた場合にも直線を設定することが可能となる。
【００３４】
画像処理部１１２は、画像入力部から入力された対象画像に画像処理を施す。例えば、プリンタ１２、１３により印画紙にプリントするための画像処理を対象画像に施す。
【００３５】
出力部１１４は、対象画像と設定部１１０２により設定されたカットラインとを関連付けてプリンタ装置２００に出力する。また、出力部１１４は、操作部１０４の操作によりカットランが変更された場合には、対象画像と変更されたカットラインとを関連付けてプリンタ装置２００に出力する。
【００３６】
次に、指示部１０４ｂの詳細な構成を説明する。図２に示すよう、指示部１０４ｂは、選択部１０４２と、サイズ変更部１０４４と、位置変更部１０４６と、向き変更部１０４８と、処理変更部１０５０とを有する。
【００３７】
選択部１０４２は、定型のカットラインを使用する場合に用いられる。より詳細には、選択部１０４２は、選択ウィンドウ１０４２Ｗ内へ操作者が行ったタッチ位置に対応するカットラインを選択し、選択したカットラインを示す信号を制御部１１０に出力する。制御部１１０の設定部１１０２は、選択部１０４２により定型のカットラインが選択されると、選択されたカットラインを設定する。この場合、表示制御部１１００は、表示部１０６の表示領域１０６ａに、選択されたカットラインと、対象画像とを表示させる。このように定型のカットラインを設定することも可能である。
【００３８】
サイズ変更部１０４４は、設定されたカットラインのサイズを設定部１１０２に変更させる。より具体的には、サイズ変更部１０４４は、サイズ変更ボタン１０４４Ｗへ操作者がタッチした後のタッチ操作の方向及び位置の情報を含む変更信号を設定部１１０２に出力する。これにより、カットラインのサイズを設定部１１０２に変更させる。例えば、画面上の右上方向にタッチ操作が行われると、カットラインを拡大させ、画面上の左下方向にタッチ操作が行われると、カットラインを縮小させる。
【００３９】
位置変更部１０４６は、設定されたカットラインの対象画像に対する位置を設定部１１０２に変更させる。より具体的には、位置変更部１０４６は、位置変更ボタン１０４６Ｗへ操作者がタッチした後のタッチ操作の方向及び位置の情報を含む変更信号を設定部１１０２に出力する。例えば、画面上の右方向にタッチ操作が行われると、カットラインを右方向に移動させ、画面上の左方向にタッチ操作が行われると、カットラインを左方向に移動させる。
【００４０】
向き変更部１０４８は、設定されたカットラインの対象画像に対する向きを設定部１１０２に変更させる。より具体的には、向き変更部１０４８は、向き変更ボタン１０４８Ｗへ操作者がタッチした後のタッチ操作の方向及び位置の情報を含む変更信号を設定部１１０２に出力する。これにより、カットラインの向きを設定部１１０２に変更させる。例えば時計回りにタッチ操作が行われると、カットラインを時計回りに回転させる。なお、図３の位置変更ボタン１０４６Ｗは、カットラインを時計回りに回転させる例を示しているが、カットラインを反時計回りに回転させようにしてもよい。このように、サイズ変更ボタン１０４４Ｗ、位置変更ボタン１０４６Ｗ、及び向き変更ボタン１０４８Ｗに対するタッチ操作によりカットラインのサイズ、位置、向きなどが変更される。
【００４１】
処理変更部１０５０は、タッチパネルへのタッチ操作の位置に応じた処理信号を制御部１１０に出力する。より具体的には、第１変更ボタン１０５０ａ、第２変更ボタン１０５０ｂ、第３変更ボタン１０５０ｃ、第４変更ボタン１０５０ｄ、第５変更ボタン１０５０ｅ、及び第６変更ボタン１０５０ｆの内のタッチ操作が行われたウィンドウに応じた処理信号を制御部１１０に出力する。第１変更ボタン１０５０ａがタッチされると、その対象画像の印刷に関する注文処理をキャンセルすることを示す第１処理信号が制御部１１０に出力され、第２変更ボタン１０５０ｂがタッチされると、そのカットラインを決定したことを示す第２処理信号が制御部１１０に出力され、第３変更ボタン１０５０ｃがタッチされると、処理を一つ前に戻すことを示す第３処理信号が制御部１１０に出力され、第４変更ボタン１０５０ｄがタッチされると、全ての処理を元に戻すことを示す第４処理信号が制御部１１０に出力され、第５変更ボタン１０５０ｅがタッチされると、対象画像を変更することを示す第５処理信号が制御部１１０に出力される。
【００４２】
図５は、表示画像を拡大処理した図である。前述したように、第６変更ボタン１０５０ｆがタッチされると、表示制御部１１００は、表示領域１０６ａの表示画像を拡大して表示させる。このように、タッチパネル上の第１変更ボタン１０５０ａ、第２変更ボタン１０５０ｂ、第３変更ボタン１０５０ｃ、第４変更ボタン１０５０ｄ、第５変更ボタン１０５０ｅ、及び第６変更ボタン１０５０ｆに対するタッチ操作により変更処理が行われる。
【００４３】
図６は、対象画像とカットラインとを関連付ける処理例のフローチャートである。この図６に示すように、画像入力部１０２が対象画像を入力すると、表示制御部１１００は、表示部１０６の入力ウィンドウ１０４０Ｗ内に対象画像を表示させ、表示制御部１１００は、表示部１０６の表示領域１０６ｂ内に対象画像を表示させる（ステップＳ１００）。
【００４４】
次に、操作者は、タッチ操作により、入力ウィンドウ１０４０Ｗ内にカットラインを描画する（ステップＳ１０２）。設定部１１０２は、入力ウィンドウ１０４０Ｗに対する入力操作に基づき、対象画像の一部をトリミングするカットラインを設定する。
【００４５】
次に、表示制御部１１００は、表示部１０６の表示領域１０６ａに対象画像と設定部１１０２により設定されたカットライン１０６ｂとを表示させる（ステップＳ１０４）。
【００４６】
そして、出力部１１４は、対象画像と設定されたカットラインを関連付けプリンタ装置２００に出力し（ステップＳ１０６）、処理を終了する。
【００４７】
このように、操作者が入力ウィンドウ１０４０Ｗ内をタッチ操作、すなわち描画しているカットラインを表示領域１０６ａに対象画像と共に表示させる。これにより、操作者は、自身の指や手などで隠れた範囲のカットラインと対象画像とを確認しつつカットラインを描画可能となる。
【００４８】
次に、図７乃至図１０に基づいて、プリンタ装置２００の詳細な構成例を説明する。図７乃至図１０は本実施形態に係るプリンタ装置２００の構成を示す図であって、このうち図７は開閉扉が開いたプリンタ装置の全体を示す図、図８はプリンタ装置の開閉扉と排出ボックスを示す図、図９は開閉扉が閉じたプリンタ装置の全体を示す図、図１０はプリンタ装置の排出ボックスを示す側面図である。
【００４９】
図７に示すように、プリンタ装置２００は開口された開口面１１ａを有する主ボックス１１と、主ボックス１１に第１ヒンジ部１６を介して回動自在に設けられ開口面１１ａを開閉自在に覆う開閉扉１５と、主ボックス１１内に上下方向に配置された上方プリンタ（上方側のプリンタ）１２および下方プリンタ（下方側のプリンタ）１３とを備えている。また主ボックス１１のうち下方プリンタ１３の下方部分には、予備のプリンタを載置するための空きスペース１４が設けられている。
【００５０】
また主ボックス１１上には、上方プリンタ１２および下方プリンタ１３を駆動制御する印刷操作端末１０００が設置されており、さらに上方プリンタ１２および下方プリンタ１３は各々、開口面１１ａ側を向く排出口１２ａ、１３ａを有している。また上方プリンタ１２および下方プリンタ１３は、図１０に示すように、各々排出口１２ａ、１３ａの内側近傍に設けられたカッタ１２ｂ、１３ｂを有している。
【００５１】
すなわち上方プリンタ１２および下方プリンタ１３は、対象画像を印刷してまず帯状印刷物１Ａを作製し、次にこの帯状印刷物１Ａをカッタ１２ｂ、１３ｂにより切断して上方へ突出する、すなわち後述する案内板２２ａ、２３ａから離れる方向へ突出するカール状の印画紙（単に印刷物ともいう）を作製するものであり、上方プリンタ１２および下方プリンタ１３により作製されたカール状の印画紙は、各々の排出口１２ａ、１３ａから排出される。この際に、カッタ１２ｂ、１３ｂは、カットラインに沿ったカットを行う。ここでの印画紙は、例えばシールである。
【００５２】
本明細書において、「上方」および「下方」とは図７のようにプリンタ装置を床面Ｆ上に設置した場合における「上方」および「下方」のことをいう。
【００５３】
また、図７に示すように、開閉扉１５の裏面に、上方プリンタ１２の排出口１２ａおよび下方プリンタ１３の排出口１３ａに各々連通する排出路２８を形成する排出ボックス２０が設けられている。また、図８に示すように、排出ボックス２０は開閉扉１５の裏面に、第２ヒンジ部１７を介して回動自在に設けられている。さらに開閉扉１５はアクリル製の窓１５ａを有し、この窓１５ａを通して外方から開口２０ａを介して排出ボックス２０内部を観察できる。また開閉扉１５を開き、かつ排出ボックス２０を開閉扉１５に対して回動させて開いた場合、排出ボックス２０内に開閉扉１５側の開口２０ａから作業者が手を挿入することができる。
【００５４】
次に図１０により、排出ボックス２０内の構造を詳述する。この図１０に示すように、上方プリンタ１２および下方プリンタ１３は主ボックス１１内に内蔵されているが、図１０において便宜上主ボックス１１は除かれている。上方プリンタ１２の排出口１２ａと、下方プリンタ１３の排出口１３ａは、排出ボックス２０の排出路２８に連通している。
【００５５】
また排出ボックス２０の排出路２８内下方には、上方プリンタ１２および下方プリンタ１３の各々の排出口１２ａ、１３ａから排出される印画紙を集積するスタッカ２１が設けられている。
【００５６】
さらに排出ボックス２０の排出路２８は、上方プリンタ１２の排出口１２ａからスタッカ２１までの上方プリンタ用排出路２８ａと、下方プリンタ１３の排出口１３ａからスタッカ２１までの下方プリンタ用排出路２８ｂとを有している。この場合、上方プリンタ用排出路２８ａは、排出ボックス２０内に設けられた案内板２２ａにより形成されている。また下方プリンタ用排出路２８ｂは、排出ボックス２０内に設けられた案内板２３ａにより形成されている。
【００５７】
すなわち、図１０に示すように、上方プリンタ１２の排出口１２ａから排出される印画紙はその印刷面を上方に向けて排出され、案内板２２ａを経て、反転板２４に到る。そして、印画紙はこの反転板２４により反転され、印画紙は印刷面を下方に向けてスタッカ２１上に集積される。
【００５８】
また図１０に示すように、下方プリンタ１３の排出口１３ａから排出される印画紙は、その印刷面を上方に向けて排出され、案内板２３ａにより反転される。印画紙はこのようにして印刷面を下方に向けてスタッカ２１上に集積される。
【００５９】
ところで、排出ボックス２０、案内板２２ａ、２３ａ、および反転板２４は、いずれもステンレス鋼等の錆びにくい金属からなっている。とりわけ案内板２２ａ、２３ａ、反転板２４は、印画紙の傷付き防止の観点および印画紙の引掛かり防止の観点からステンレス鋼板と、このステンレス鋼板上に貼付されたフッ素系シートとからなっている。
【００６０】
このように排出ボックス２０内を上方プリンタ用排出路２８ａと、下方プリンタ用排出路２８ｂとに区画して設けることにより、上方プリンタ１２からの印画紙と下方プリンタ１３からの印画紙とが混じり合って印画紙にジャムが生じることを未然に防止することができる。
【００６１】
また、排出ボックス２０の排出路２８内下方には単一のスタッカ２１が設けられているが、このように単一のスタッカ２１を設けることにより、上方プリンタ１２用のスタッカと下方プリンタ１３用のスタッカを複数設ける場合に比較して、作業者は単一のスタッカ２１から印画紙を取出せば良いので、印画紙の取出し忘れを確実に防止することができる。
【００６２】
以上説明したように、本実施形態に係るプリントシステム１０によれば、ユーザがタッチ操作したカットラインを、タッチ操作する表示領域とは別の表示領域１０６ａに拡大表示するため、ユーザは表示領域１０６ａ上のカットラインと対象画像との位置関係を確認しながら、カットラインのタッチ操作を継続することができ、ユーザの意図しない場所にカットラインが設定されるおそれを防止できる。これにより、簡易な操作で、任意の形状およびサイズのカットラインを、所望の位置に設定でき、カットラインの設定操作を効率化することができる。
【００６３】
上述した実施形態で説明した印刷操作端末１００及びプリントシステム１０の少なくとも一部は、ハードウェアで構成してもよいし、ソフトウェアで構成してもよい。ソフトウェアで構成する場合には、印刷操作端末１００及びプリントシステム１０の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００６４】
また、印刷操作端末１００及びプリントシステム１０の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００６５】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これらの実施形態やその変形例は、発明の範囲や要旨に含まれると共に、特許請求の範囲に記載された発明とその均等の範囲に含まれる。
【符号の説明】
【００６６】
１０：プリントシステム、１２：プリンタ、１２ｂ：カッタ、１３：プリンタ、１３ｂ：カッタ、１００：印刷操作端末、１０４：操作部、１０６：表示部、１０８：記憶部、１１４：出力部、２００：プリンタ装置、１０４０：入力部、１０４２：選択部、１１００：表示制御部、１１０２：設定部
【図１】
2019061572.tif 000003
【図２】
2019061572.tif 000004
【図３】
2019061572.tif 000005
【図４】
2019061572.tif 000006
【図５】
2019061572.tif 000007
【図６】
2019061572.tif 000008
【図７】
2019061572.tif 000009
【図８】
2019061572.tif 000010
【図９】
2019061572.tif 000011
【図１０】
2019061572.tif 000012